(57)【要約】【課題】本発明は、従来の芝生保護を用いた芝生保護において土壌の改良、播種、施肥などの一部あるいはその他各種の条件を満たすような芝生保護資材の提供にある。【解決手段】本発明は、基盤上に敷き設する踏み圧部と透口部からなる植物保護盤と、成形した植物を育成するための植生基材からなり、植生基材は前記植物保護部材が基盤上に敷き設されたとき、その植物保護盤の形状に合わせ上下に重ねあわされ、かつ重ねあわされた時、植生基材と植物保護盤底部が一致しかつ踏み圧部の頂部が植生基材上に現れるように成形された植物保護資材である。【選択図】図1
2007282521.tif 000002
【特許請求の範囲】
【請求項１】
基盤上に敷き設する踏み圧部と透孔部からなる植物保護盤と、植物を育成するための成形した植生基材からなる植物保護資材であって、植生基材は植物保護盤が基盤上に敷き設されたとき、その植物保護盤の形状に合わせ上下に重ね合わされるように成形された植物保護資材。
【発明の詳細な説明】
【技術分野】
【０００１】
本発明は、芝生などの植物を保護する技術に属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立ち入る人、あるいは車の踏み圧から植物を保護するための図１に示すような踏み圧部と透孔部からなる芝生保護盤（特開平2-145137、4-75541等）が各種提案され使用されている。
これら芝生保護盤を用い、透孔部に砂利を敷き均し、その砂利の隙間から芝生を育成させた使い方など特開平7-227154に開示されている。
【０００３】
芝生の保護は、芝生に対する踏み圧からの保護、土壌の改良、施肥、播種、刈り込み等の保守作業からなる多様の条件を考慮してなされる必要がある。
【特許文献１】特開平2-145137
【特許文献２】特開平4-75541
【特許文献３】特開平7-227154
【発明の開示】
【発明が解決しようとする課題】
【０００４】
本発明は、従来の芝生保護を用いた芝生保護において土壌の改良、播種、施肥などの一部、全てあるいはその他の条件を満たすような芝生保護資材の提供にある。
【課題を解決するための手段】
【０００５】
本発明は、基盤上に敷き設する踏み圧部と透孔部からなる植物保護盤と、植物を育成するための成形した植生基材からなる植物保護資材であって、植生基材は植物保護盤が基盤上に敷き設されたとき、その植物保護盤の形状に合わせ上下に重ね合わされるように成形された植物保護資材である。
作業を単純化するため、植物保護盤を基盤上に敷き設し、植生基材をその上から被せられるよう、もしくは植生基材を基盤上に敷き設しその上から植物保護盤を被せられるよう、事前に植生基材に含まれる土壌改良剤、肥料などを調整したうえで成形し、その形状を植物保護盤に対応させた。
【発明の効果】
【０００６】
本発明は、植生基材を植物保護盤と互いに重なるように成形して使用するため以下の効果がある。
１．植物の種類に応じ植生基材の成分を調整できる。
２．植物保護盤もしくは植生基材を基盤上に配設し、その上から成形した植生基材もしくは植物保護盤を被せるため作業が簡単になる。
【発明を実施するための最良の形態】
【０００７】
以下本発明を図により詳細に説明する。
図1は、本発明を構成する植物保護盤の概念図である。
図２は、本発明を構成する植生基材の概念図である。
図３は、植物保護盤上に植生基材を被せた状態を示す断面図である。
【０００８】
図１に示すように、植物保護盤は踏み圧部である凸部が連結され、凸部で囲まれた領域が透孔部とされ、透孔部中に植生基材が充填される。透孔部は雨水などが地中に浸透するための孔でかつ植物が育つための土壌などからなる植生基材を保持する場所である。人の踏み圧あるいは車の圧は凸部である踏み圧部で支えられ透孔部には伝わらない。
【０００９】
植生基材は、図2に示すように、植物が育成するための土壌であり、植物保護盤上に被せることができるよう成形されている。植生基材は、紙などを含む植物性繊維、植物を細かく砕いたチップ、空気を含ませるため発泡させたポリウレタン樹脂の繊維あるいは小塊あるいはコンポスト類などを主成分とし、必要に応じて種、肥料などを混合して成形する。
【００１０】
図3に示すように、植物保護盤上に植生基材を被せて使用する。こうすることで人の歩行あるいは車の走行による圧は植物保護盤の凸部踏み圧部で受けるため植生基材に育った植物には伝わらない。また植生基材がそのまま透孔部に充填されるため、雨水あるいは散水などで流出せず踏み圧部で保持される。植生基材は雨水散水などにより土壌状となってもあるいは一体化を保っていてもよい。
【００１１】
図４は、別の植物保護盤を示している。踏み盤部である凸部の中に透孔部を設けたものである。
図５は、図４に示す植物保護盤に対応した植生基材を示している。前述した植物保護資材は植物保護盤に植生基材を被せるようにして組み合わせたが、これは植生基材に植物保護盤を被せるものである。図６はその被せた状態を示す図である。本例も前述した植物保護資材と同等の機能を有する。
【００１２】
図７は、植物保護盤を所定場所に敷き設した状態を示している。植物保護盤に相互に契合するための継ぎ手が付属している場合はその継ぎ手を用いて平面状に配設する。継ぎ手がない場合はそのまま密接するよう配設する。その上に植生基材を順次被せて、適宜水を撒くなどして植生基材を基盤上になじませる。
【００１３】
図８は、植物保護盤上にさらに人に対する凸部踏み圧部からの反発力を和らげるための上部枠を被せた例である。上部枠は、下部枠である植物保護盤の凸部に契合する契合部と、透孔部からなる。契合部と透孔部の形状は同一であっても異なる形状であってもよいが、契合部の形状は幅広平坦とすることが好ましく、下部枠および上部枠の透孔部が貫通することが好ましい。
【００１４】
植物保護盤の形状は図1、あるいは図４に示したものに限らず、踏み圧部と透孔部からなる部位が同一保護盤内に複数個存在するものであっても、あるいは植物保護盤を配設することでその間に透孔部を形成するようなものであってもよい。植生基材はこれら植物保護盤の形状にあわせ成形すればよい。
【図面の簡単な説明】
【００１５】
【図１】本発明の植物保護資材を構成する植物保護盤の例を示す概念図である。
【図２】本発明の植物保護資材を構成する植生基材の例を示す概念図である。
【図３】本発明の植物保護資材の概念図である。
【図４】本発明の植物保護資材を構成する植物保護盤の他の例を示す概念図である。
【図５】本発明の植物保護資材を構成する植生基材の他の例を示す概念図である。
【図６】本発明の植物保護資材にかかわる他の概念図である。
【図７】植物保護盤を配設した状態を示す概念図である。
【図８】植物保護盤上に人の踏み圧に対する反発を軽減する手段の例を示す。
【符号の説明】
【００１６】
１  植物保護資材
２  植物保護盤
３  植生基材
４  踏み圧部
５  透孔部
６  踏み圧反発軽減部材（上部枠）
【図１】
2007282521.tif 000003
【図２】
2007282521.tif 000004
【図３】
2007282521.tif 000005
【図４】
2007282521.tif 000006
【図５】
2007282521.tif 000007
【図６】
2007282521.tif 000008
【図７】
2007282521.tif 000009
【図８】
2007282521.tif 000010